(57)【要約】【課題】異常災害時に防潮扉を極めて省力的に、且つ、迅速確実にに作動させて防潮堤における開口部を緊急閉止するための緊急閉門装置を提供すること。【解決手段】移動用車輪６、７を備え、ガイドレール５に沿って横方向に移動可能で、潮堤２、３の開口部４を開閉するようにした横引き式の防潮扉緊急装置において、防潮堤の開口部を開放した状態に、防潮扉１を第１の位置Ｐ１に支持しておく防潮扉支持手段１１と、前記開口部を閉止する状態に、防潮扉を第１の位置から第２の位置２に向けて閉門作動するための防潮扉閉門作動手段１２とを有し、防潮扉支持手段が防潮扉を第１の位置に固定支持するストッパー部材１３を含み、防潮扉閉門作動手段がストッパー部材を解除した際、防潮扉を第１の位置から第２の位置に向けて自重移動するべく第１の位置側から第２の位置側に向けて先下がりに傾斜するガイドレールを含む防潮扉の緊急閉門装置。【選択図】  図３
2006002552.tif 000002
【特許請求の範囲】
【請求項１】
移動用車輪を備え、ガイドレールに沿って横方向に移動可能であり、防潮堤の開口部を開閉するようにした横引き式の防潮扉緊急装置において、
前記防潮堤の開口部を開放した状態に、前記防潮扉を第１の位置に支持しておくための防潮扉支持手段と、前記防潮堤の開口部を閉止する状態に、前記防潮扉を前記第１の位置から第２の位置に向けて閉門作動するための防潮扉閉門作動手段とを有し、前記防潮扉支持手段が、前記防潮扉を第１の位置に固定支持するストッパー部材を含むものからなり、前記防潮扉閉門作動手段が、前記ストッパー部材を解除した際、前記防潮扉を前記第１の位置から前記第２の位置に向けて自重移動するべく第１の位置側から第２の位置側に向けて先下がりに傾斜するガイドレールを含むものからなることを特徴とする防潮堤における防潮扉の緊急閉門装置。
【請求項２】
前記防潮扉閉門作動手段が、前記防潮扉が前記第１の位置に固定支持されている際、前記防潮扉を第１の位置から第２の位置に向けて押圧するべく拡張方向に蓄圧付勢された蓄圧付勢手段を含むものからなり、前記先下がりに傾斜するガイドレールと前記蓄圧付勢手段との相乗作用により前記防潮扉を第１の位置から第２の位置に向けて自重移動するようになしたことを特徴とする請求項１に記載の防潮堤における防潮扉の緊急閉門装置。
【請求項３】
前記第２の位置にある防潮扉を前記第１の位置に向けて前記防潮扉の自重に抗して引き上げるための引き上げ手段を備えたものからなることを特徴とする請求項１あるいは請求項２に記載の防潮堤における防潮扉の緊急閉門装置。
【発明の詳細な説明】
【技術分野】
【０００１】この発明は、防潮堤における開口部を開放し、あるいは閉止するために設けてあ防潮扉に関するものであり、特には、構造が簡単であり、コスト的に安価に提供でき、機能的には、地震に起因する津波あるいは台風による高波等の異常災害時に当該防潮扉を極めて省力的に、且つ、迅速に作動させて、防潮堤における開口部を閉止し得るようになした防潮扉の緊急閉門装置に関するものである。
【背景技術】
【０００２】周知のように、我が国は周囲を海に囲まれた島国であり、地理的には台風の通過経路の一部に位置しており、台風による高波の被害が多発している。さらに、我が国は地震の多発地帯に位置しており、地震に起因する津波による被害も多発する環境にある。そのため、これらの災害による被害を極力防止するべく、海岸線に沿って防潮堤が設けてある。この防潮堤は、例えば、河川の河口部に対しては部分的に途切れていて開口部を形成するものであり、この開口部には防潮扉が設置されている。【０００３】上記する防潮扉は、特許文献１及び特許文献２に開示されているもののように、鉛直移動式のものと横引き移動式のものとが開発され提供されてきている。前者の鉛直移動式のものは、河川の流れの堰止め、海中の潮の流れを堰止めるためのものとして、常に水がある場所で有効に使用されている。この鉛直移動式のものは、その開閉が水圧によって困難な場所に対して主として設置され、扉自体の大重量と、その引力作用とで閉門時に有効に作用する。【０００４】しかしながら、上記する鉛直移動式の防潮扉装置は、開門時には比較的高い位置に引き上げておく必要があり、高い支柱構造部を要し、耐風対策への考慮も必要であり、構築コストが高価であるという大きな問題点を有している。特に、車道を跨ぐような防潮ゲートの場合は、通行のため、さらに高所に防潮を吊り下げねばならず、さらにコスト高になるものであった。【０００５】これに対して、後者の横引き移動式の防潮扉装置は、開閉に水圧がかからない陸上の防潮ゲートに適するものであり、人力での開閉ができ、コストがかからず安価に設置することができ、簡単で改修工事も容易であり、長尺な防潮扉も設計可能である点等において有利なものである。【０００６】上記する横引き移動式の防潮扉装置は、その設置場所の幅方向の長さによって、片側扉と両側合わせ扉とがある。前者の片側扉の長さは、通常、４〜５ｍ程度のものであり、後者の両側合わせ扉の合わせ長さは、通常、６〜１５ｍ程度のものである。一方、この防潮扉自体の重量は、前者のもので、約２〜３ｔ程度であり、後者のもので、約３〜５ｔ程度である。これらの防潮扉には、下部に車輪が取り付けてあり、水平に設置されたガイドレール上を転がり、防潮堤開口部を開閉する方式が採られている。また、この防潮扉の開閉のための駆動手段としては、大別して、人力による手動駆動方式と、電動機などによる電動駆動方式の二方式が採用されている。【０００７】一方、防潮堤における防潮扉の閉門に要する時間については、３分以内に閉門が完了するような規定として設定されている。この閉門に要する時間については、例えば、台風による高波の発生に対するものである場合には、台風の予知技術が発達している現在においては、さほど問題ではない。しかしながら、例えば、地震による津波の発生に対するものである場合には、地震の予知技術が未だ確立されていないため、突発的であり、特に、海底地中を震源とする大地震の場合には、短時間の間に津波の発生を報知し、その後、防潮堤における防潮扉の閉門をしなければならず（地震の発生から５〜１０分以内に両者を完了しなければならない）、時間的な余裕が殆どない場合が多くなっている。【０００８】しかしながら、上記する防潮堤における防潮扉は、鉄鋼製であり、大重量であるので、人力による手動方式では平常時の試験段階でも、３人でこの閉門作業を行った結果、約５分程度の時間を要した。さらに、大地震が発生した場合は、既に地震によって建造物の倒壊並びに人身被害などが発生している非常事態時であり、その最中にあっては、閉門に必要とする人員の確保が困難な状態が想定される。そのため一人でスイッチを押すだけで自動的に閉門できる電動駆動方式が採用され、手動駆動方式の問題点を解消している。しかしながら、この電動駆動方法は、手動駆動方式に較べてコスト高につながり、且つ、大地震の場合は停電することが常であり、この場合は、全く作動せず、緊急閉門を要する津波に対しては全く要をなさないという大きな問題点を有している。【０００９】このような現状にも係わらず、近年、確実に発生すると予想されている南海・東南海地震に対処するため、早急に、この解決策が切望されているが、その必須条件として、特に、我が国の財政事情の変化から、構造が簡単で、コストがかからずに安価に提供でき、その目的が効果的に達せられる防潮扉の緊急閉門方式が待望されている。【００１０】
【特許文献１】特開２００２−６９９６７号公報（要約、図１）
【特許文献２】特開平０９−５９９６２号公報（要約、図１、図２）
【発明の開示】
【発明が解決しようとする課題】
【００１１】そこで、この発明は、防潮堤における防潮扉の緊急閉門に関する現在の諸問題を解決するためのものであって、既設の防潮扉の改修工事分も含め、簡単な構成で、コストがかからず安価に提供でき、且つ、一人ででも極めて省力的に、且つ、迅速にその目的を達し得る防潮扉の緊急作動装置を提供することにある。
【課題を解決するための手段】
【００１２】この発明は、上記する目的を達成するにあたって、具体的には、移動用車輪を備え、ガイドレールに沿って横方向に移動可能であり、防潮堤の開口部を開閉するようにした横引き式の防潮扉緊急装置において、
前記防潮堤の開口部を開放した状態に、前記防潮扉を第１の位置に支持しておくための防潮扉支持手段と、前記防潮堤の開口部を閉止する状態に、前記防潮扉を前記第１の位置から第２の位置に向けて閉門作動するための防潮扉閉門作動手段とを有し、前記防潮扉支持手段が、前記防潮扉を第１の位置に固定支持するストッパー部材を含むものからなり、前記防潮扉閉門作動手段が、前記ストッパー部材を解除した際、前記防潮扉を前記第１の位置から前記第２の位置に向けて自重移動するべく第１の位置側から第２の位置側に向けて先下がりに傾斜するガイドレールを含むものからなることを特徴とする防潮堤における防潮扉の緊急閉門装置を構成するものである。【００１３】さらに、この発明において、請求項２に記載の発明は、上記請求項１に記載の防潮扉緊急作動装置であって、前記防潮扉閉門作動手段が、前記防潮扉が前記第１の位置に固定支持されている際、前記防潮扉を第１の位置から第２の位置に向けて押圧するべく拡張方向に蓄圧付勢された蓄圧付勢手段を含むものからなり、前記先下がりに傾斜するガイドレールと前記蓄圧付勢手段との相乗作用により前記防潮扉を第１の位置から第２の位置に向けて自重移動するようになしたことを特徴とするものである。【００１４】さらにまた、この発明において、請求項３に記載の発明は、上記請求項１あるいは請求項２に記載の防潮扉緊急作動装置であって、前記第２の位置にある防潮扉を前記第１の位置に向けて前記防潮扉の自重に抗して引き上げるための引き上げ手段を備えたものからなることを特徴とするものである。
【発明の効果】
【００１５】この発明になる防潮堤における防潮扉の緊急閉門装置は、防潮堤の開口部を開放した状態に、防潮扉を第１の位置に支持しておくための防潮扉支持手段と、防潮堤の開口部を閉止する状態に、防潮扉を第１の位置から第２の位置に向けて閉門作動するための防潮扉閉門作動手段とからなり、防潮扉支持手段が防潮扉を第１の位置に固定支持するストッパー部材を含み、防潮扉閉門作動手段がストッパー部材を解除した際、防潮扉を第１の位置から第２の位置に向けて自重移動するべく第１の位置側から第２の位置側に向けて先下がりに傾斜するガイドレールを含む構成のものからなる点において、構造が簡単であり、低コストで構築でき、機能的には、地震に起因する津波あるいは台風による高波等の異常災害時に当該防潮扉を極めて省力的に、且つ、迅速に作動させて、防潮堤における開口部を閉止できるものであり、その点において極めて有効に作用するものといえる。
【発明を実施するための最良の形態】
【００１６】以下、この発明になる防潮堤における防潮扉の緊急閉門装置について、図面に示す具体的な実施例にもとづいて詳細に説明する。
図１は、この発明になる防潮堤における防潮扉の緊急閉門装置の基本的な構成例を示すもので、図１Ａは、その全体的な基本構成を示す概略的な斜視図であり、図１Ｂは、当該防潮扉のためのガイドレール部の構成例を示す概略的な断面図である。一方、図２は、当該防潮堤における防潮扉の開門状態時の概要を示すものであって、図２Ａは、その概略的な平面図、図２Ｂは、その概略的な側面図である。これに対して、図３は、当該防潮堤における防潮扉の閉門状態時の概要を示すものであって、図３Ａは、その概略的な平面図、図３Ｂは、その概略的な側面図である。【００１７】まず、この発明になる防潮堤における防潮扉の緊急閉門装置の基本的な構成例について、図１、図２及び図３に基づいて詳細に説明する。防潮堤に対して設置される横引き移動式の防潮扉１は、図１に示すように、防潮堤２、３の開口部４に対して、これを閉塞すべく横移動する構成のものであって、その下面１ｃに対しては、ガイドレール５上を滑走する車輪６、７が設けられている。この防潮扉１は、鉄鋼材あるいはアルミニウム押出型材などの機械的な強度の高い素材をもって組み立てられた長方形枠の前面にスキンプレートなどを張設して形成されるものである。図１に示す実施例において、防潮堤２側には、開門時の防潮扉１を受け入れておくことができる防潮扉受入構造部８が設けてあり、防潮堤３側には、閉門時の防潮扉１の先端部９を受入れ得る凹部１０が設けてある。【００１８】この発明になる防潮堤における防潮扉の緊急閉門装置は、基本的には、前記防潮堤２、３の開口部４を開放した状態に、前記防潮扉１を第１の位置Ｐ１に支持しておくための防潮扉支持手段１１と、前記防潮堤２、３のの開口部４を閉止する状態に、前記防潮扉１を前記第１の位置Ｐ１から第２の位置Ｐ２に向けて閉門作動するための防潮扉閉門作動手段１２とを含むものからなっている。この発明では、前記防潮扉支持手段１１が、前記防潮扉１を第１の位置Ｐ１に固定支持するストッパー部材１３によって構成されており、前記防潮扉閉門作動手段１２が、前記ストッパー部材１３を解除した際、前記防潮扉１を前記第１の位置Ｐ１から前記第２の位置Ｐ２に向けて自重移動するべく第１の位置Ｐ１側から第２の位置Ｐ２側に向けて先下がりに傾斜するガイドレール５を含むものからなっている。この発明において、前記ガイドレール５の傾斜角度θは、特に規定されるものではなく、約２度〜５度程度に設計しておけばよい。【００１９】さらに、この発明では、前記防潮扉閉門作動手段１２は、前記防潮扉１が前記第１の位置Ｐ１に固定支持されている際、前記防潮扉１を第１の位置Ｐ１から第２の位置Ｐ２に向けて押圧するべく拡張方向に蓄圧付勢された蓄圧付勢手段１４を含むものからなっている。この蓄圧付勢手段１４は、例えば、図２及び図３に示すような弾発的なコイルスプリングであってもよいし、あるいは板バネ（図示せず）であってもよい。この蓄圧付勢手段１４は、その一端側１４ａが前記防潮堤２側の壁２ａに固定されていて、その他端側１４ｂが開門状態時における防潮扉１の後端面１ａに当接するように、前記防潮堤２の壁２ａと、開門状態で固定支持されている防潮扉１の後端面１ａとの間に蓄圧付勢状態のもと���介在されているものである。【００２０】さらにまた、この発明では、前記第２の位置Ｐ２にある防潮扉１を前記第１の位置Ｐ１に向けて前記防潮扉の自重に抗して引き上げるための引き上げ手段１５を備えている。この引き上げ手段１５は、例えば、ラチェット引締め装置１６を具備するチェーン装置１７によって構成されている。図３Ｂ中において、参照符号１８、１９は、ラチェット引締め装置１６を引っ掛けるためのフックである。【００２１】さらにまた、この発明の具体的な実施例によれば、前記ガイドレール５は、グランドレベルＧＬ中に配設してあるチャンネル溝２０内に配置されている。前記チャンネル溝２０の上部側には、ゴム材などの弾力性のある素材でなる溝蓋部材２１が付設されており、前記防潮扉１が存在しない部分のチャンネル溝２０上を閉塞し、前記防潮扉１の移動時には、これを押し退けて、その進行を許容するに適したものからなっている。【００２２】以上に示すような構成になるこの発明の防潮堤における防潮扉の緊急閉門装置の操作手順は、極めて簡単な操作によるものである。すなわち、この発明では、図２Ａおよび図２Ｂに示すような開門状態から、図３Ａおよび図３Ｂに示すような閉門状態にするには、先ず、図２Ａに示すストッパー部材１３を引き抜く。このストッパー部材１３を引き抜くことによって、前記防潮扉１は開放され、蓄圧付勢手段１４の働きによる初期動が生じて防潮扉１を図２中、右側に向けて押し出す。それと同時に、前記ガイドレール５が先下がりに傾斜形成されていることと併せて、前記防潮扉１は、第１の位置Ｐ１から第２の位置Ｐ２に向けて確実に自重移動するものである。この防潮扉１の閉門操作は、極めて省力的であり、且つ、迅速で確実なものである。図２Ｂ中、参照符号２２は、防潮扉１に取り付けた引き把手の一例を示すものである。【００２３】さらに、この発明になる防潮堤における防潮扉の緊急閉門装置は、各図において、右側の防潮堤３で示す部分を中央堤として構成し、背反する両面に凹部１０、１０を設けた構成のものにすることによって、中央堤の左右両側に対称的な防潮扉による両開き式の大規模な緊急閉門装置とすることもできる。
【図面の簡単な説明】
【００２４】
【図１】図１は、この発明になる防潮堤における防潮扉の緊急閉門装置の基本的な構成例を示すもので、図１Ａは、その全体的な基本構成を示す概略的な斜視図であり、図１Ｂは、当該防潮扉のためのガイドレール部の構成例を示す概略的な断面図である。
【図２】図２は、当該防潮堤における防潮扉の開門状態時の概要を示すものであって、図２Ａは、その概略的な平面図、図２Ｂは、その概略的な側面図である。
【図３】図３は、当該防潮堤における防潮扉の閉門状態時の概要を示すものであって、図３Ａは、その概略的な平面図、図３Ｂは、その概略的な側面図である。
【符号の説明】
【００２５】１  防潮扉
２、３  防潮堤
４  開口部
５  ガイドレール
６、７  車輪
８  防潮扉受入構造部
９  先端部
１０  凹部
Ｐ１  第１の位置
Ｐ２  第２の位置
１１  防潮扉支持手段
１２  防潮扉閉門作動手段
１３  ストッパー部材
１４  蓄圧付勢手段
１５  引き上げ手段
１６  ラチェット引締め装置
１７  チェーン装置
１８、１９  フック
２０  チャンネル溝
２１  溝蓋部材
２２  引き把手
【図１】
2006002552.tif 000003
【図２】
2006002552.tif 000004
【図３】
2006002552.tif 000005